(57)【要約】【課題】背負い可能なアーチェリー用バッグを提供する。【解決手段】表面が布または合成樹脂のシートで構成されたアーチェリー用バッグにおいて、背負い帯びが少なくとも平面部を斜行するように設けられ、且つ、少なくとも、平面部のシートの内面側に該平面部が背中にフィットするための弾性クッション材が内挿されている手提げおよび背負い可能な、また背負い時にその上部および下部が他の邪魔にならない形状を有するアーチェリー用バッグ。【選択図】        図１
2004156810.tif 000002
【特許請求の範囲】
【請求項１】
表面が布または合成樹脂のシートで構成されたアーチェリー用バッグにおいて、背負い帯びが少なくとも平面部を斜行するように設けられ、且つ、少なくとも、平面部のシートの内面側に該平面部が背中にフィットするための弾性クッション材が内挿されていることを特徴とするアーチェリー用バッグ。
【請求項２】
前記背負い帯びの斜行方向が、同一平面部内で左または右方向に選択自在に設けることが可能であることを特徴とする請求項１に記載のアーチェリー用バッグ。
【請求項３】
前記背負い帯びの斜行する上部側の基点が、略矩形形状の前記平面部の短いバッグ幅の中央部であることを特徴とする請求項１または２に記載のアーチェリー用バッグ。
【請求項４】
前記平面部が略矩形形状に対して、上部および／または下部コーナーが切除された形状であることを特徴とする請求項１から３のいずれか１項に記載のアーチェリー用バッグ。
【請求項５】
前記内挿される弾性クッション材は、ウレタンフォーム、スポンジ、綿より選ばれた材料が用いられていることを特徴とする求項１から４のいずれか１項に記載のアーチェリー用バッグ
【請求項６】
前記内挿される弾性クッション材が、少なくとも背中に対向する側に軟質弾性クッション材を、またバッグ内側に対向する側には該軟質弾性クッション材に比し剛性のある硬質クッション材、または該硬質クッション材に更に軟質弾性クッション材を積層したものよりなることを特徴とする請求項１から５のいずれか１項に記載のアーチェリー用バッグ。
【発明の詳細な説明】
【０００１】
【発明の属する技術分野】
この発明は、アーチェリー用バッグに関するものである。
【０００２】
【従来の技術】
オリンピックの正式種目であるアーチェリー競技は、そのかっこの良さから世界的に愛好者が増えつつあり、今やその競技人口は数十万人とも云われている。競技に使用されるアーチェリーは、かなり精巧に製作されており、またその調整は微妙な精度を要求されるものであり、従って、アーチェリーの取り扱いについては慎重を期されている。特に、その保管や運搬時に使用する保管、運搬ケース等には細心の注意が払われている。
【０００３】
従来、このケース、特に運搬用ケースには、かなり剛性のある合成樹脂製のハードケースが使用されており、アーチェリーそのものの安全収納の目的は、ほぼ満足すべき状態にあると思われる。（例えば、特許文献１参照）しかしながら、このハードケースは、持ち運ぶという動作にとっては、必ずしも最適なものとは言えない。即ち、ハドケース自体が、かなりの重量を有しており、手提げをするには甚だ向いていない。このため車輪をつけて移動するタイプなども販売されている。（例えば、非特許文献１参照）また、それを背負うとするにはハードケースは極めて不適なものである。
【０００４】
特に、運搬が公共の手段、例えば電車、バス等を利用して行われる場合は、ハードケースが著しく他人に迷惑をかけることにもなる。また、実際にハードケースにアーチェリーを収納する時は、アローやサイトは一旦それぞれ別途のケースに収納されたものを更にケース内に収納するようになっており、この場合、ケースは必ずしもハードケースである必要はない。
【０００５】
また、アーチェリーケースを背負う場合、リュックサックのごとく、真っ直ぐに背負うことは、上部にケースが突出して邪魔になるばかりでなく、背負った状態でモータバイクに搭乗するなどの場合には、ケース下部がサドル部に突き当たってしまう不具合が生じる。従って、これらを解消する斜めに背負えるアーチェリーケースが強く望まれていた。
【０００６】
【特許文献１】
意匠登録第７１９０３２号公報（第１頁、各図）
【非特許文献１】
雑誌「アーチェリー」２００２年７月号第２４頁、ハスコ・アーチェリーケース写真。
【０００７】
【発明が解決しようとする課題】
上述のごとく、アーチェリー用ハードケースに代わり、容易に背負うことができ、しかもモータバイクなどに搭乗した場合にも何ら支障のないアーチェリー用バッグが望まれている。
本願発明の目的は、上述の要求に鑑み、簡単に背負うことが可能であり、且つ、背負ったバッグの突出部が他の邪魔にならないようなアーチェリー用バッグを提供するところにある。
【０００８】
【課題を解決するための手段】
本発明のアーチェリー用バッグは、
（１）表面が布または合成樹脂のシートで構成されたアーチェリー用バッグにおいて、背負い帯びが少なくとも平面部を斜行するように設けられ、且つ、少なくとも、平面部のシートの内面側に該平面部が背中にフィットするための弾性クッション材が内挿されているものである。
（２）上述（１）における背負い帯びの斜行方向を、同一平面部内で左または右方向に選択自在に設けることが可能であるものであり、
（３）上述の（１）または（２）における背負い帯びの斜行する上部側の基点が、略矩形形状の前記平面部の短いバッグ幅の中央部にあることを特徴とするものであり、（４）前記平面部が略矩形形状に対して、上部および／または下部コーナーが切除された形状を有するものであり、
（５）上述の１〜（４）における内挿される弾性クッション材は、ウレタンフォーム、スポンジ、綿より選ばれた材料が用いられており、
（６）上述（１）〜（５）における、前記内挿される弾性クッション材が、少なくとも背中に対向する側に軟質弾性クッション材を、またバッグ内側に対向する側には該軟質弾性クッション材に比し剛性のある硬質クッション材、または該硬質クッション材に更に軟質弾性クッション材を積層したものよりなるものである。
【０００９】
【発明の実施の形態】
実施の形態１
図１（ａ）、（ｂ）は、本発明の実施の形態１に係るアーチェリー用バッグを示す参考図であり、図１（ａ）は実施の形態１に係るアーチェリー用バッグの正面側よりみた背負い帯を正面側に取付けた状態を示す参考図、図１（ｂ）は背面側よりみた背負い帯を正面、背面にわたって取付けた状態を示す参考図である。１はアーチェリー用バッグ、２はバッグ平面部、３は背負い帯、４は背負い帯びの上部取付け金具、５は背負い帯びの右下部取り付け金具、６は背負い帯びの左下部取り付け金具、７は背面側上部取付け金具（図示せず）、８はバッグ上部、９はバッグ背面部、θは斜行角度、Ｌはバッグの長さ、Ｌ１は上部取り付け金具の取り付け位置、Ｌ２  は下部取り付け金具の取り付け位置、Ｂはバッグの幅である。
【００１０】
平面部が略矩形形状（Ｌ×Ｂ）のバッグ１には、背負い帯３を取り付けるための４個の取り付け金具４、５、６、７が固定されている。内２個は上部取り付け金具４、７であり、平面部２及び背面部９における各上部８よりバッグ長さＬの約１５〜２０％下方でバッグの幅Ｂの中央位置に各固定されている。また他の２個は左及び右の下部取り付け金具５、６であって、同一平面部２内の下辺よりバッグの長さＬの約１０〜１５％上方の左右対称位置に、斜行角θをもって隔離して固定されている。斜行角θは前記上部取り付け金具と下部取り付け金具のいずれかとを結ぶ線と上部取り付け金具位置を通る垂線Ｘ−Ｘとのなす角度である。また、長さが調節自在である背負い帯３は、上部取付け金具４と左右いずれかの下部取り付け金具のとの間で斜行して取り付けられる。
上部取り付け金具は、背面側上部取り付け金具７を利用することもできる。これは特にバッグを手提げする場合などに有効である。
【００１１】
図２は本実施の形態における、少なくとも背負い面、すなわち平面部２の表面シート内に内挿される弾性クッションの断面を示す図である。
２１は表面シート、２２は軟質弾性クッション材、２３は硬質弾性クッション材、２４は裏面シート、Ｔは弾性クッションのトータル厚さである。
【００１２】
平面部２の表面シート２１の内面側には、該平面部が背中にフィットするための弾性クッション材２２、２３が内挿されている。軟質弾性クッション材２２は、ウレタンフォーム、スポンジ、綿などより選ばれた材料を用いる。適度のやわらかさと反発力を備えていることが必要であり、ウレタンフォームの使用が特に好ましい。
【００１３】
また、硬質弾性クッション材２３は、軟質弾性クッション材２２に隣接してバッグ内側に対向する側に挿入され、該軟質弾性クッション材２２に比し剛性のある硬質クッション材を用いる。これは背負うことによりバッグ内に極端な曲げ変形を生じさせないものであり、且つ、多少の柔軟性を有することが必要であり、熱硬化性プラスチック板、ボール紙、薄ベニア板などを使用することができる。この場合板厚は容易には折れ曲がらない程度であれば、重量上薄い方が望ましく、１〜３ｍｍ厚さ程度の硬質プラスチック板を使用することが好ましい。
また、多少の柔軟性を付与するために該板表面に丸形等の貫通孔を多数設け柔軟性の付与と軟質弾性クッション材２２のズレ防止を図ることもできる。
【００１４】
また、硬質弾性クッション材２３は、前記硬質プラスチック等の板に更に軟質弾性クッションを積層したものを使用することができる。これにより、内部に収納したアーチェリー部材の更なる保全を図ることができる。
軟質弾性クッションと硬質弾性クッションのトータル厚さＴは、アーチェリー用バッグとしての実用上約３０〜６０ｍｍが最適である。
また、裏面シート２４との関係で硬質弾性クッション材２３を省略し、軟質弾性クッション材２２のみを使用することもできる。
【００１５】
実施の形態２
図３は、本発明の実施の形態２の説明図である。
本実施の形態は、実施の形態１における、アーチェリー用バッグの各コーナー部を切除した形状を有している。これは、本発明の趣旨であるアーチェリー用バッグを斜めに背負うための手段に対し、更に上部や下部における突出部を切除することにより、他への邪魔にならないようにしたものである。
図３においては、背負いが左右いずれの斜行になっても、効果的であるために４隅のコーナーを切除しているが、一方の対角のコーナーのみを切除する形式や、上部左右のコーナーまたは下部コーナーのみを切除する形式とすることもできる。  また、切除部分の形状は直線的のみでなく、Ｒ状または曲線により形成しても良い。
【００１６】
切除部の大きさは、標準的なアーチェリー用バッグの形状（長さＬ約８００〜９００ｍｍ、幅Ｂ約２５０〜３５０ｍｍ）に対して、Ｙ＝αＢ  但し、Ｙ：コーナーから切除部辺までの距離（ｍｍ）、Ｂ：バッグ幅（ｍｍ）、α：切除係数として、実用上α＝０．２〜０．４５とすることが望ましい。
【００１７】
また、アーチェリー用バッグの本体に対し、アローやスタンドなどを別途に収納するためのサブ収納部を設けても良い。この場合該サブ収納部は前記バッグ本体の裏面に、また重量バランス的に長手方向下側に配置させることが好ましい。
【００１８】
【発明の効果】
１）表面が布または合成樹脂のシートで構成されたアーチェリー用バッグにおいて、背負い帯びが少なくとも平面部を斜行するように設けられ、且つ、少なくとも、平面部のシートの内面側に該平面部が背中にフィットするための弾性クッション材が内挿することにより、斜め背負いが可能であり、搬送が容易なアーチェリー用バッグを提供することができる。
【００１９】
２）１）における背負い帯びの斜行方向を、同一平面部内で左または右方向に選択自在に設けることが可能とすことにより、また、３）前記背負い帯びの斜行する上部側の基点を、略矩形形状の前記平面部の短いバッグ幅の中央部とすることにより、斜行背負いをより容易にし、搬送がより容易になったアーチェリー用バッグを提供することができる。
【００２０】
４）前記平面部が略矩形形状に対して、上部および／または下部コーナーが切除された形状とすることにより、他に対して優しい斜行背負いが可能なアーチェリー用バッグを提供することができる。
【００２１】
５）前記内挿される弾性クッション材にウレタンフォーム、スポンジ、綿より選ばれた材料を用いることにより、また、６）前記内挿入される弾性クッション材は、少なくとも背中に対向する側には軟質弾性クッション材を用い、またバッグ内側に対向する側には該軟質弾性クッション材に比し剛性のある硬質クッション材、または該硬質クッション材に更に軟質弾性クッション材を積層したものを用いることにより、安全で、且つ、健康的な斜め背負い可能なアーチェリー用バッグを提供することができる。
【図面の簡単な説明】
【図１】本発明の実施の形態１に係るアーチェリー用バッグを示す参考図であり、（ａ）は正面側よりみた背負い帯を正面側に取付けた状態を示す参考図、（ｂ）は背面側よりみた背負い帯を正面、背面にわたって取付けた状態を示す参考図である。
【図２】本発明のアーチェリー用バッグの弾性クッションの断面を示す参考図である。
【図３】本発明の実施の形態２の説明図である。
【符号の説明】
１  アーチェリー用バッグ、２  平面部、３  背負い帯び、４  上部取り付け金具、５  右下部取り付け金具、６  左下部取り付け金具、７  背面側上部取付け金具、８  バッグ上部、９  バッグ背面部、θ  斜行角度、Ｌ  バッグの長さ、Ｌ１  上部取り付け金具の取り付け位置、Ｌ２  下部取り付け金具の取り付け位置、Ｂ  バッグの幅、１１  上部切除部、１２  下部切除部、２１  表面シート、２２  軟質弾性クッション材、２３  硬質弾性クッション材、２４  裏面シート。
【図１】
2004156810.tif 000003
【図２】
2004156810.tif 000004
【図３】
2004156810.tif 000005